(57)【特許請求の範囲】
【請求項１】
天井面と天井面との間、前記天井面と壁との間、又は前記天井面と照明や空調機などの設備機器との間に設けた隙間を覆う目隠し板であって、
前記目隠し板は、前記天井面と前記天井面のいずれか一方、前記天井面と前記壁のいずれか一方、又は前記天井面と前記設備機器のいずれか一方に固定される取付部と、
前記天井面と前記天井面のいずれか他方、前記天井面と前記壁のいずれか他方、又は前記天井面と前記設備機器のいずれか他方と所定間隔を有して配置される被覆部と、
前記取付部の上部に備えた溝部と、
前記溝部に装着された雄螺子部材と、
前記雄螺子部材を前記天井面又は前記壁に備えた金具に取り付ける雌螺子部材と、
前記取付部側と前記被覆部側にそれぞれ備えた連結部材取付用溝部と、
前記連結部材取付用溝部に挿通された状態で前記目隠し板同士を連結する連結部材と
を備えたことを特徴とする目隠し板。
【請求項２】
前記取付部の上部における前記溝部の両側に備えた連結部材取付用溝部と、
前記連結部材取付用溝部に挿通された状態で前記目隠し板同士を連結する連結部材とを備えたことを特徴とする請求項１に記載の目隠し板。
【請求項３】
前記雄螺子部材に前記溝部内で回転不能な状態で係止可能な形状の頭部を備えたことを特徴とする請求項１又は２に記載の目隠し板。
【請求項４】
前記雄螺子部材に前記溝部内で回転不能な状態で係止可能な形状の溝部用金具を備えたことを特徴とする請求項１〜３のいずれか１項に記載の目隠し板。
【請求項５】
天井面と天井面との間、前記天井面と壁との間、又は前記天井面と照明や空調機などの設備機器との間に設けた隙間を覆う目隠し板であって、
前記目隠し板は、前記天井面と前記天井面のいずれか一方、前記天井面と前記壁のいずれか一方、又は前記天井面と前記設備機器のいずれか一方に固定される取付部と、
前記天井面と前記天井面のいずれか他方、前記天井面と前記壁のいずれか他方、又は前記天井面と前記設備機器のいずれか他方と所定間隔を有して配置される被覆部と、
前記取付部の上部に備えた溝部と、
前記溝部に装着された雄螺子部材と、
前記雄螺子部材を前記天井面又は前記壁に備えた金具に取り付ける雌螺子部材と、
隣接する前記目隠し板の前記取付部同士を連結する連結金具を備え、
前記連結金具は、一方の前記目隠し板の前記取付部を上方から被覆可能に形成された一方の押さえ部と、他方の前記目隠し板の前記取付部を上方から被覆可能に形成された他方の押さえ部とを備え、
前記一方の押さえ部及び前記他方の押さえ部には前記雄螺子部材が挿通可能な貫通部を備えたことを特徴とする目隠し板。
【請求項６】
天井面と天井面との間、前記天井面と壁との間、又は前記天井面と照明や空調機などの設備機器との間に設けた隙間を覆う目隠し板であって、
前記目隠し板は、前記天井面と前記天井面のいずれか一方、前記天井面と前記壁のいずれか一方、又は前記天井面と前記設備機器のいずれか一方に固定される取付部と、
前記天井面と前記天井面のいずれか他方、前記天井面と前記壁のいずれか他方、又は前記天井面と前記設備機器のいずれか他方と所定間隔を有して配置される被覆部と、
前記取付部の上部に備えた溝部と、
前記溝部に装着された雄螺子部材と、
前記雄螺子部材を前記天井面又は前記壁に備えた金具に取り付ける雌螺子部材と、
隣接する前記目隠し板の前記取付部同士を連結する連結金具を備え、
前記連結金具は、一方の前記目隠し板の前記溝部に挿入可能に形成された一方の挿入部と、他方の前記目隠し板の前記溝部に挿入可能に形成された他方の挿入部とを備え、
前記一方の挿入部及び前記他方の挿入部には前記雄螺子部材が螺着可能な螺子孔を備えたことを特徴とする目隠し板。
【請求項７】
隣接する前記目隠し板の前記被覆部同士に架設されて連結する連結板を備えたことを特徴とする請求項１〜６のいずれか１項に記載の目隠し板。
【請求項８】
前記被覆部の前記天井面と前記天井面のいずれか他方、前記天井面と前記壁のいずれか他方、又は前記天井面と前記設備機器のいずれか他方と対向する部分に断熱部及び／又は遮音部を備えたことを特徴とする請求項１〜７のいずれか１項に記載の目隠し板。
【請求項９】
前記隙間は、壁に固定された天井面と、前記壁と非固定状態の天井面との間に形成されたものとすることを特徴とする請求項１〜８のいずれか１項の記載の目隠し板。
【発明の詳細な説明】
【技術分野】
【０００１】
本発明は、天井に設けた隙間を目隠しし、天井と天井の干渉を防止する目隠し板に関する。
【背景技術】
【０００２】
今までは地震時の天井と天井、天井と壁、又は天井と照明や空調機などの設備機器の揺れの違いによる天井の脱落や破損を防ぐ為の技術的なものは、壁と天井の間に隙間を少し空けるか、天井の揺れ止めを付けただけである。
【０００３】
又、天井と壁の縁切りの為に壁に取付けるＬ型のものがあった（特許文献１参照）。
【先行技術文献】
【特許文献】
【０００４】
【特許文献１】特開２００５−１３３４４０号公報
【発明の概要】
【発明が解決しようとする課題】
【０００５】
しかし、従来のＬ型のものは、天井と壁を縁切る部分が短い為、大きな振動には対処しきれず、天井の脱落や破損する事が多い。又、壁側にあるので柱などの出っ張りに合わせて施工するので手間がかかった。
【０００６】
そこで本発明は上述の課題を解決すべく創出されたもので、地震時に天井と天井、天井と壁、又は天井と照明や空調機などの設備機器の揺れの違いによる天井の脱落や破損を防ぐ目隠し板の提供を目的とするものである。
【課題を解決するための手段】
【０００７】
請求項１の発明は、天井面と天井面との間、前記天井面と壁との間、又は前記天井面と照明や空調機などの設備機器との間に設けた隙間を覆う目隠し板であって、前記目隠し板は、前記天井面と前記天井面のいずれか一方、前記天井面と前記壁のいずれか一方、又は前記天井面と前記設備機器のいずれか一方に固定される取付部と、前記天井面と前記天井面のいずれか他方、前記天井面と前記壁のいずれか他方、又は前記天井面と前記設備機器のいずれか他方と所定間隔を有して配置される被覆部と、前記取付部の上部に備えた溝部と、前記溝部に装着された雄螺子部材と、前記雄螺子部材を前記天井面又は前記壁に備えた金具に取り付ける雌螺子部材と、前記取付部側と前記被覆部側にそれぞれ備えた連結部材取付用溝部と、前記連結部材取付用溝部に挿通された状態で前記目隠し板同士を連結する連結部材とを備えたことを特徴とする。
【０００８】
請求項２の発明は、前記取付部の上部における前記溝部の両側に備えた連結部材取付用溝部と、前記連結部材取付用溝部に挿通された状態で前記目隠し板同士を連結する連結部材とを備えたことを特徴とする。
【０００９】
請求項３の発明は、前記雄螺子部材に前記溝部内で回転不能な状態で係止可能な形状の頭部を備えたことを特徴とする。
【００１０】
請求項４の発明は、前記雄螺子部材に前記溝部内で回転不能な状態で係止可能な形状の溝部用金具を備えたことを特徴とする。
【００１１】
請求項５の発明は、天井面と天井面との間、前記天井面と壁との間、又は前記天井面と照明や空調機などの設備機器との間に設けた隙間を覆う目隠し板であって、前記目隠し板は、前記天井面と前記天井面のいずれか一方、前記天井面と前記壁のいずれか一方、又は前記天井面と前記設備機器のいずれか一方に固定される取付部と、前記天井面と前記天井面のいずれか他方、前記天井面と前記壁のいずれか他方、又は前記天井面と前記設備機器のいずれか他方と所定間隔を有して配置される被覆部と、前記取付部の上部に備えた溝部と、前記溝部に装着された雄螺子部材と、前記雄螺子部材を前記天井面又は前記壁に備えた金具に取り付ける雌螺子部材と、隣接する前記目隠し板の前記取付部同士を連結する連結金具を備え、前記連結金具は、一方の前記目隠し板の前記取付部を上方から被覆可能に形成された一方の押さえ部と、他方の前記目隠し板の前記取付部を上方から被覆可能に形成された他方の押さえ部とを備え、前記一方の押さえ部及び前記他方の押さえ部には前記雄螺子部材が挿通可能な貫通部を備えたことを特徴とする。
【００１２】
請求項６の発明は、天井面と天井面との間、前記天井面と壁との間、又は前記天井面と照明や空調機などの設備機器との間に設けた隙間を覆う目隠し板であって、前記目隠し板は、前記天井面と前記天井面のいずれか一方、前記天井面と前記壁のいずれか一方、又は前記天井面と前記設備機器のいずれか一方に固定される取付部と、前記天井面と前記天井面のいずれか他方、前記天井面と前記壁のいずれか他方、又は前記天井面と前記設備機器のいずれか他方と所定間隔を有して配置される被覆部と、前記取付部の上部に備えた溝部と、前記溝部に装着された雄螺子部材と、前記雄螺子部材を前記天井面又は前記壁に備えた金具に取り付ける雌螺子部材と、隣接する前記目隠し板の前記取付部同士を連結する連結金具を備え、前記連結金具は、一方の前記目隠し板の前記溝部に挿入可能に形成された一方の挿入部と、他方の前記目隠し板の前記溝部に挿入可能に形成された他方の挿入部とを備え、前記一方の挿入部及び前記他方の挿入部には前記雄螺子部材が螺着可能な螺子孔を備えたことを特徴とする。
【００１３】
請求項７の発明は、隣接する前記目隠し板の前記被覆部同士に架設されて連結する連結板を備えたことを特徴とする。
【００１４】
請求項８の発明は、前記被覆部の前記天井面と天井面のいずれか他方、前記天井面と前記壁のいずれか他方、又は前記天井面と前記設備機器のいずれか他方と対向する部分に断熱部及び／又は遮音部を備えたことを特徴とする。
【００１５】
請求項９の発明は、前記隙間は、壁に固定された天井面と、前記壁と非固定状態の天井面との間に形成されたものとすることを特徴とする。
【発明の効果】
【００１６】
請求項１の発明によれば、隙間を隠すとともに、地震による天井の脱落や破損を防ぎ、特に、天井面と天井面、天井面と壁、又は天井面と照明や空調機などの設備機器の揺れ方の違いによる天井の脱落や破損を防ぐことができる。また、室内側から雄螺子部材が露出することなく、目隠し板を天井面又は壁に取り付けることができる。また、各目隠し板同士は下面を面一に揃えた状態で水平に連結される。
【００１７】
請求項２の発明によれば、各目隠し板同士は下面を面一に揃えた状態で水平に連結される。
【００１８】
請求項３の発明によれば、頭部と溝部との係合状態が安定し、頭部を溝部内で回転不能な形状とすることで、雄螺子部材への雌螺子部材の装着作業が容易となる。
【００１９】
請求項４の発明によれば、溝部用金具と溝部との係合状態が安定し、溝部用金具を溝部内で回転不能な形状とすることで、雄螺子部材への雌螺子部材の装着作業が容易となる。
【００２０】
請求項５の発明によれば、目隠し板同士の合わせ目が整えられるとともに、各目隠し板同士は下面を面一に揃えた状態で水平に連結される。
【００２１】
請求項６の発明によれば、目隠し板同士の合わせ目が整えられるとともに、各目隠し板同士は下面を面一に揃えた状態で水平に連結される。
【００２２】
請求項７の発明によれば、目隠し板同士の合わせ目が整えられるとともに、各目隠し板同士は下面を面一に揃えた状態で水平に連結される。
【００２３】
請求項８の発明によれば、隙間及び間隔による熱や音の伝導や風の行き来を防ぐことができる。
【００２４】
請求項９の発明によれば、目隠し板を、壁ではなく、壁から離れた天井面に取り付けるので、室内の柱をよけるなどの曲がりが少なく施工に手間もかからず、部屋の中心部分に多くある照明や、空調機などの設備機器の周りにも容易に取り付けが可能となる。
【図面の簡単な説明】
【００２５】
【図１】本発明の第１実施例における目隠し板の斜視図である。
【図２】同上、目隠し板の使用状態を示す天井の底面図である。
【図３】同上、目隠し板の使用状態を示す断面図である。
【図４】同上、目隠し板の別の使用状態を示す断面図である。
【図５】本発明の第２実施例における目隠し板の使用状態を示す断面図である。
【図６】本発明の第３実施例における目隠し板の使用状態を示す断面図である。
【図７】本発明の第４実施例における目隠し板の使用状態を示す断面図である。
【図８】本発明の第５実施例における目隠し板の使用状態を示す断面図である。
【図９】本発明の第６実施例における目隠し板の使用状態を示す断面図である。
【図１０】本発明の第７実施例における目隠し板の使用状態を示す断面図である。
【図１１】本発明の第８実施例における目隠し板の斜視図である。
【図１２】同上、目隠し板の使用状態を示す断面図である。
【図１３】同上、目隠し板を壁側で使用した場合での使用状態を示す断面図である。
【図１４】同上、目隠し板に通常のボルトを用いた使用状態を示す断面図である。
【図１５】同上、図１４とは異なる使用状態を示す断面図である。
【図１６】同上、目隠し板に通常のボルトを用いて壁側で使用した場合での使用状態を示す断面図である。
【図１７】同上、図１６とは異なる使用状態を示す断面図である。
【図１８】同上、図１６において異なる天井下地材を用いた使用状態を示す断面図である。
【図１９】同上、図１６において異なる天井下地材を用いた図１８とは異なる使用状態を示す断面図である。
【図２０】同上、目隠し板と延設した仕上げ材との間に隙間を設けた使用状態を示す断面図である。
【図２１】同上、目隠し板を傾斜した天井で用いた使用状態を示す断面図である。
【図２２】本発明の第９実施例における目隠し板の使用状態を示す断面図である。
【図２３】同上、図２２とは別の使用状態を示す断面図である。
【図２４】同上、雄螺子部材の斜視図である。
【図２５】本発明の第１０実施例における目隠し板の使用状態を示す断面図である。
【図２６】同上、図２５とは別の使用状態を示す断面図である。
【図２７】同上、溝用金具の斜視図である。
【図２８】本発明の第１１実施例における目隠し板の使用状態を示す断面図である。
【図２９】本発明の第１２実施例における目隠し板の連結部分の平面図である。
【図３０】同上、要部断面図である。
【図３１】同上、連結金具の斜視図である。
【図３２】本発明の第１３実施例における目隠し板の連結部分の平面図である。
【図３３】同上、要部断面図である。
【図３４】同上、連結金具の斜視図である。
【図３５】本発明の第１４実施例における目隠し板の連結部分の平面図である。
【図３６】同上、要部断面図である。
【図３７】同上、連結金具の斜視図である。
【発明を実施するための形態】
【００２６】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００２７】
図１〜図４は本発明の第１実施例を示すものであり、本実施例では、図２に示すように、少なくとも四隅に柱１００を配置し、この柱１００間に設置された壁１０１によって四方を囲まれた建物室内の天井において、上階床スラブとしてのコンクリートから垂設された吊りボルトにハンガーを介して取り付けられた断面略Ｃ形状の形鋼からなる野縁受部材１と、野縁受部材１の下部に取り付けられた断面略Ｃ形状の形鋼からなる野縁部材２と、野縁部材２の下部に取り付けられた石膏ボード、コンパネ等の天井パネルからなる天井ボード９とを備えている。図中、９Ａは壁１０１に固定された固定側の天井ボード、９Ｂは固定側の天井ボード９Ａと隙間Ｓを有して設置された島側の天井ボード、１３は照明や空調等の設備機器、９Ｃは設備機器１３の周囲に島側の天井ボード９Ｂと隙間Ｓを有して設置された天井ボードである。また、Ｊ１,Ｊ２は、目隠し板３を直線状に連結した連結部分であり、Ｊ３,Ｊ４は目隠し板３を直角に連結したコーナー側の連結部分である。
【００２８】
本実施例の目隠し板３は、図１に示すように、金属、樹脂又はアルミなどの非鉄金属からなり、一方を壁側に固定された固定側の天井ボード９Ａである壁側天井の下面Ａに当接可能に形成された取付部４と、他方を隙間Ｓを下方から被覆可能に形成されるとともに島側の天井ボード９Ｂの下面Ｂの下部を所定の間隔を有して被覆可能に備えた被覆部２０と、取付部４と被覆部２０との境界部分を略垂直上向きに立ち上げて形成された立ち上げ部５とを備えている。
【００２９】
ここで、取付部４の下面と被覆部２０の下面は面一に形成されているものの、取付部４の厚さ寸法Ｈ１は、被覆部２０の厚さ寸法Ｈ２より大きく形成されている。そのため、取付部４の上面と被覆部２０の上面による段差が形成されている。さらに、被覆部１０の寸法Ｌ１は隙間Ｓの間隔Ｌ２より大きく形成されている。
【００３０】
尚、被覆部２０の上面には、モルトプレーン等の断熱部材が貼り付けられたり、断熱塗装による断熱層が形成された断熱部６や、静電植毛等による植毛部（図示せず）を備えている。
【００３１】
以上のように本実施例では、図３に示すように、目隠し板３の上面Ｄに野縁押さえ用の突起部として立ち上げ部５を設け、立ち上げ部５を野縁２の側面及び天井ボード９Ａの縁部分に当接して、壁側天井の下面Ａと目隠し板３の上面Ｄとを合わせ、目隠し板３の下面Ｃからビス８などをボード押さえ用の突起部としての取付部４から野縁２までねじ込み目隠し板３と野縁２を固定して、目隠し板３の上面Ｄの島側の天井ボード９Ｂの下面Ｂの仕上げ材（図示せず）と目隠し板３の上面Ｄとの間に間隔７を設けることにより、天井ボード９Ｂの下面Ｂの目隠し板３との干渉を抑え、不燃な防火区画を構成することができる。
【００３２】
また、図４に示すように、目隠し板３の野縁押さえ用の突起部５と野縁２をビス８で接続することにより、天井ボード９の下面Ｂと目隠し板３との間に間隔７を設け、天井ボード９Ｂと目隠し板３との干渉を抑え、不燃な防火区画を構成することができる。
【００３３】
本実施例の目隠し板３は、地震による天井の落下や破損を防ぐため、天井面に設けた隙間Ｓの片方の天井ボード９にＶ溝又はレール状の溝１０のある目隠し板３と野縁部材２をビス８などで固定し、隙間Ｓのもう片方の天井ボード９との間に間隔７を設けることにより、両方の天井ボード９の縁を切ることにより、地震時の揺れによる天井ボード９と天井ボード９同士が干渉して、天井が落下や破損することを防ぐことができるとともに、隙間Ｓを目隠しするとともに、隙間Ｓによる熱、音、風の行き来を少なくし、区画を形成することが可能となる。
【００３４】
天井に隙間Ｓを設けたことにより、地震時の天井の各天井パネル９、壁１０１、設備機器１３の動きが異なってもお互いに干渉しないため、天井パネル９や壁１０１や設備機器１３との干渉による天井の脱落や破損を防ぐことができる。ここで、隙間は１００ｍｍ以上が好ましいものとする。
【００３５】
以上のように本実施例では、天井面９Ａと天井面９Ｂとの間に設けた隙間Ｓを覆う目隠し板３であって、目隠し板３は、前記天井面９Ａと前記天井面９Ｂのいずれか一方に固定される取付部４と、天井面９Ａと天井面９Ｂのいずれか他方と所定間隔７を有して配置される被覆部２０を備えたことを特徴とする。
【００３６】
この場合、隙間Ｓを隠すとともに、地震による天井の脱落や破損を防ぎ、特に、天井面９Ａと天井面９Ｂ、天井面９と壁１０１、又は天井面９と照明や空調機などの設備機器１３の揺れ方の違いによる天井の脱落や破損を防ぐことができる。
【００３７】
また、被覆部２０の天井面９Ａと天井面９Ｂのいずれか他方と対向する部分に断熱部６及び／又は遮音部を備えたことにより、隙間Ｓ及び間隔７による熱や音の伝導や風の行き来を防ぐことができる。
【００３８】
また、前記取付部４を前記天井面９Ａの下部に当接可能に形成するとともに、前記取付部４から上向きに立ち上げて形成され、前記天井面９Ａを形成する天井下地材である野縁２の側面に当接可能な立ち上げ部５を備えたことにより、隙間Ｓによる風の行き来を防ぐことができる。
【００３９】
さらに、前記隙間Ｓは、壁１０１に固定された天井面９Ａと、前記壁１０１と非固定状態の天井面９Ｂとの間に形成されたものとすることにより、目隠し板３を、壁１０１ではなく、壁１０１から離れた天井面９Ａに取り付けるので、室内の柱をよけるなどによる曲がりが少なく施工に手間もかからず、部屋の中心部分に多くある照明や、空調機などの設備機器１３の周りにも容易に取り付けが可能となる。
【実施例２】
【００４０】
次に図５は、本発明の第２実施例を示すものである。同図において、図１〜図４と同一部分には同一符号を付し、その共通する部分の詳細な説明は省略する。本実施例では、図５に示すように目隠し板３の上面Ｄに野縁押さえ用の突起部として立ち上げ部５を設け、立ち上げ部５を野縁２の側面及び天井ボード９Ａの縁部分に当接して、壁側天井の下面Ａと目隠し板３の上面Ｄとを合わせ、取付部４の下部にビス８を隠すための蓋取り付け用溝１０を設け、目隠し板３の下面Ｃの蓋取り付け用溝１０からビス８などをボード押さえ用の突起部としての取付部４から野縁２までねじ込み、蓋取り付け用溝１０に蓋１１をすることによりビス面を隠し、目隠し板３と野縁２を固定して、目隠し板３の上面Ｄの島側の天井ボード９Ｂの下面Ｂの仕上げ材（図示せず）と目隠し板３の上面Ｄとの間に間隔７を設けることにより、天井ボード９Ｂの下面Ｂの目隠し板３との干渉を抑え、不燃な防火区画を構成することができる。
【００４１】
以上のように本実施例は、取付部４に、ビス８等を打設するための溝部としての蓋取り付け用溝１０と、蓋取り付け用溝１０を被覆可能な蓋体として蓋１１とを備えたことにより、目隠し板３のビス８が打設された面を隠すことができる。
【実施例３】
【００４２】
続いて図６は、本発明の第３実施例を示すものである。同図において、図１〜図５と同一部分には同一符号を付し、その共通する部分の詳細な説明は省略する。本実施例の天井構造は、天井下地材に野縁２を用いた天井ボード９Ａと、天井下地材にシステム天井に用いられる断面Ｔ型の型鋼、いわゆるＴバー１２を用いた天井ボード９Ｂとの間に隙間Ｓを形成している。
【００４３】
図６に示すように目隠し板３の上面Ｄに野縁押さえ用の突起部として立ち上げ部５を設け、立ち上げ部５を野縁２の側面及び天井ボード９Ａの縁部分に当接して、壁側天井の下面Ａと目隠し板３の上面Ｄとを合わせ、取付部４の下部にビス８を隠すための蓋取り付け用溝１０を設け、目隠し板３の下面Ｃの蓋取り付け用溝１０からビス８などをボード押さえ用の突起部としての取付部４から野縁２までねじ込み、蓋取り付け用溝１０に蓋１１をすることによりビス面を隠し、目隠し板３と野縁２を固定して、目隠し板３の上面Ｄの島側の天井ボード９Ｂの下面Ｂの仕上げ材（図示せず）と目隠し板３の上面Ｄとの間に間隔７を設けることにより、天井ボード９Ｂの下面Ｂの目隠し板３との干渉を抑え、不燃な防火区画を構成することができる。
【実施例４】
【００４４】
続いて図７は、本発明の第４実施例を示すものである。同図において、図１〜図６と同一部分には同一符号を付し、その共通する部分の詳細な説明は省略する。本実施例の天井構造では、天井ボード９Ｂと、天井ボード９Ｃとの間に隙間Ｓを形成している。
【００４５】
図７に示すように、天井ボード９Ｂに目隠し板３をビス８で固定し、天井ボード９Ｃと目隠し板３の上面Ｄとの間に間隔７を設けることにより、天井ボード９Ｃの下面Ｅの目隠し板３との干渉を抑え、不燃な防火区画を構成するとともに、天井ボード９Ｃ側にある設備機器１３との地震時の揺れによる落下を防ぐことができる。
【実施例５】
【００４６】
続いて図８は、本発明の第５実施例を示すものである。同図において、図１〜図７と同一部分には同一符号を付し、その共通する部分の詳細な説明は省略する。本実施例の天井構造では、天井ボード９Ｂと、天井ボード９Ｃとの間に隙間Ｓを形成している。
【００４７】
図８に示すように、天井ボード９Ｃに目隠し板３をビス８で固定し、天井ボード９Ｂと目隠し板３の上面Ｄとの間に間隔７を設けることにより、天井ボード９Ｂの下面Ｂの目隠し板３との干渉を抑え、不燃な防火区画を構成するとともに、天井ボード９Ｃ側にある設備機器１３との地震時の揺れによる落下を防ぐことができる。
【実施例６】
【００４８】
続いて図９は、本発明の第６実施例を示すものである。同図において、図１〜図８と同一部分には同一符号を付し、その共通する部分の詳細な説明は省略する。本実施例の天井構造では、天井ボード９Ｂと、設備機器１３との間に隙間Ｓを形成し、設備機器１３のフランジ状の周縁部１３Ａの上面を天井ボード９Ａより下方に設置している。
【００４９】
図９に示すように、天井ボード９Ｂに目隠し板３をビス８で固定し、設備機器１３の周縁部１３Ａと目隠し板３の下面Ｃとの間に間隔７を設けることにより、設備機器１３の周縁部１３Ａの下面Ｃの目隠し板３との干渉を抑え、不燃な防火区画を構成するとともに、設備機器１３との地震時の揺れによる落下を防ぐことができる。
【００５０】
以上のように本実施例は、天井面９Ｂと照明や空調機などの設備機器１３との間に設けた隙間Ｓを覆う目隠し板３であって、目隠し板３は、天井面９Ａと設備機器１３のいずれか一方に固定される取付部４と、天井面９Ａと設備機器１３のいずれか他方と所定間隔７を有して配置される被覆部２０を備えている。
【００５１】
この場合、隙間Ｓを隠すとともに、地震による天井の脱落や破損を防ぎ、特に、天井面９Ｂと照明や空調機などの設備機器１３の揺れ方の違いによる天井の脱落や破損を防ぐことができる。
【実施例７】
【００５２】
続いて図１０は、本発明の第７実施例を示すものである。同図において、図１〜図９と同一部分には同一符号を付し、その共通する部分の詳細な説明は省略する。本実施例の天井構造では、天井ボード９Ｂと、設備機器１３との間に隙間Ｓを形成し、設備機器１３のフランジ状の周縁部１３Ａの下面を天井ボード９Ｂの下面Ｂと同じ、或いは上方に設置している。
【００５３】
図１０に示すように、天井ボード９Ｂに目隠し板３をビス８で固定し、設備機器１３の周縁部１３Ａと目隠し板３の下面Ｃとの間に間隔７を設けることにより、設備機器１３の周縁部１３Ａの下面の目隠し板３との干渉を抑え、不燃な防火区画を構成するとともに、設備機器１３との地震時の揺れによる落下を防ぐことができる。
【００５４】
以上のように本実施例は、天井面９Ａと照明や空調機などの設備機器１３との間に設けた隙間Ｓを覆う目隠し板３であって、目隠し板３は、天井面９Ｂと設備機器１３のいずれか一方に固定される取付部４と、天井面９Ａと設備機器１３のいずれか他方と所定間隔７を有して配置される被覆部２０を備えている。
【００５５】
この場合、隙間Ｓを隠すとともに、地震による天井の脱落や破損を防ぎ、特に、天井面９Ｂと照明や空調機などの設備機器１３の揺れ方の違いによる天井の脱落や破損を防ぐことができる。
【実施例８】
【００５６】
続いて図１１〜図２１は、本発明の第８実施例を示すものである。同図において、図１〜図１０と同一部分には同一符号を付し、その共通する部分の詳細な説明は省略する。本実施例では、目隠し板３の取付部４の上部にボルト取付用の溝部３０を備えるとともに、取付部４側と被覆部２０側にそれぞれ、連結部材取付用の溝部３１、３２をそれぞれ備えている。また、溝部３０の両側にも連結部材取付用の溝部３３、３４を備えている。４１,４１Ａ,４１Ｂは、天井ボード９,９Ａ,９Ｂの下面Ａ,Ｂに備えたボード状の仕上げ材である。
【００５７】
図１２に示すように、野縁２及び天井パネル９Ａを貫通した吊りボルト３５を、ボルト取付用の溝部３０に挿通させた状態で、吊りボルト３５に野縁２側と溝部側の両側からナット３６、３７を装着し、取付部４を天井パネル９Ａに固定し、天井ボード９Ｂ及び仕上げ材４１Ｂと目隠し板３の上面Ｄとの間に間隔７を設けることにより、天井ボード９Ｂの下面Ｂ及び仕上げ材４１Ｂの目隠し板３との干渉を抑え、不燃な防火区画を構成することができる。
【００５８】
また、図１１に示すように目隠し板３の連結部分Ｊ１では、各目隠し板３、３の溝部３１、３２、３３、３４に金属製の棒状の部材からなる連結部材３８を挿通して、連結部材３８を介して各目隠し板３、３同士を連結することで、各目隠し板３、３同士は下面Ｄを面一に揃えた状態で水平に連結される。
【００５９】
図１３に示すように、目隠し板３を壁１０１に固定するには、一方をビス８などによって壁に固定されたＬ型の金具３９の他方を貫通した吊りボルト３５を、ボルト取付用の溝部３０に挿通させた状態で、吊りボルト３５に金具３９側と溝部３０側の両側からナット３６、３７を装着し、取付部４を金具３９に固定し、天井ボード９Ｂと目隠し板３の上面Ｄとの間に間隔７を設けることにより、天井ボード９Ｂの下面Ｂの目隠し板３との干渉を抑え、不燃な防火区画を構成することができる。
【００６０】
図１４に示すように、ボルト４０を、ボルト取付用の溝部３０に挿通させた状態で、ボルト４０に溝部３０側からナット３７を装着し、取付部４を天井パネル９Ａに固定し、天井ボード９Ｂ及び仕上げ材４１Ｂと目隠し板３の上面Ｄとの間に間隔７を設けることにより、天井ボード９Ｂの下面Ｂ及び仕上げ材４１Ｂの目隠し板３との干渉を抑え、不燃な防火区画を構成することができる。通常のボルト４０を使用することで、任意の位置で隙間Ｓを形成することができる。
【００６１】
また、図１４ではボルト４０を野縁２側から装着しているが、図１５に示すように、ボルト４０を溝部３０側から野縁２側に挿通して、ボルト４０に野縁２側からナット３６を装着してもよいものとする。
【００６２】
図１６に示すように、目隠し板３を壁１０１に固定するには、一方をビス８などによって壁に固定されたＬ型の金具３９の他方を貫通したボルト４０を、ボルト取付用の溝部３０に挿通させた状態で、ボルト４０に溝部３０側からナット３７を装着し、取付部４を金具３９に固定し、天井ボード９Ｂと目隠し板３の上面Ｄとの間に間隔７を設けることにより、天井ボード９Ｂの下面Ｂの目隠し板３との干渉を抑え、不燃な防火区画を構成することができる。通常のボルト４０を使用することで、任意の位置で隙間Ｓを形成することができる。
【００６３】
図１６ではボルト４０を金具３９側から装着しているが、図１７に示すように、ボルト４０を溝部３０側から金具３９側に挿通して、ボルト４０に金具３９側からナット３６を装着してもよいものとする。
【００６４】
図１８及び図１９では、天井下地材にＴバー１２を用いた天井ボード９Ｂと壁１０１との間に形成された隙間Ｓを目隠し板３で目隠しした状態を示している。ここで図１８では、天井ボード９Ｂの下面及びＴバー１２の下部を、目隠し板３の被覆部２０の上面より高く設置して、天井ボード９Ｂ及びＴバー１２と目隠し板３の上面Ｄとの間に間隔７を設けることにより、天井ボード９Ｂの下面Ｂ及びＴバー１２の下部の目隠し板３との干渉を抑え、不燃な防火区画を構成することができる。また、図１９では、Ｔバー１２上部を目隠し板３の被覆部２０の下面より低く設置して、天井ボード９Ｂと目隠し板３の下面Ｃとの間に間隔７を設けることにより、天井ボード９Ｂ及びＴバー１２の目隠し板３との干渉を抑え、不燃な防火区画を構成することができる。
【００６５】
また、図２０に示すように、天井ボード９の下面９Ｂに設けた仕上げ材４１Ｂを隙間Ｓ側へ延設して、仕上げ材４１Ｂの上面を目隠し板３の被覆部２０の下面より低く設置して、仕上げ材４１Ｂの上面と目隠し板３の下面Ｃとの間に間隔７を設けることにより、仕上げ材４１Ｂの目隠し板３との干渉を抑え、不燃な防火区画を構成することができる。
【００６６】
また、図２１に示すように、本実施例の目隠し板３は水平に設置された天井パネル９と斜めに設置された天井パネル９からなる勾配を有する天井にも適用可能である。前記勾配を有する天井は、上下方向に段違いとなるように水平に設置された天井パネル９の間に、傾斜させた天井パネル９を設置した構成となり、図２１では目隠し板３を傾斜させた天井パネル９に隣接した水平な天井パネル９側に設置しているが、目隠し板３の設置箇所についてはこれに限定されるものではない。
【実施例９】
【００６７】
続いて図２２〜図２４は、本発明の第９実施例を示すものである。同図において、図１〜図２１と同一部分には同一符号を付し、その共通する部分の詳細な説明は省略する。本実施例では、通常のボルト４０に代えて、溝部３０の両側の開口縁部分３０Ａの内側面に係止可能な頭部５０を備えた雄螺子部材５１を、溝部３０側から野縁２側或いは金具３９側に挿通して、雄螺子部材５１に野縁２側或いは金具３９側からナット３６を装着するものである。
【００６８】
雄螺子部材５１の頭部５０は、左右一対の側面部５２と、側面部５２の上部を連結して形成された上面部５３とを備えた断面コ型の形鋼からなる。雄螺子部材５１の上面部５３の幅寸法Ｍ１は、溝部３０の開口幅Ｍ２より大きく（Ｍ１＞Ｍ２）、かつ溝部３０内部の幅Ｍ３より僅かに小さく形成されているため（Ｍ１≦Ｍ３）、上面部５３と溝部３０の開口縁部分３０Ａの内側面との接触面積が大きくなるように形成されている。
【００６９】
また、前記頭部５０の溝部３０の開口縁部分３０Ａと平行する方向の寸法Ｍ４を、溝部３０の幅Ｍ３より大きく形成されているため（Ｍ４＞Ｍ３）、溝部３０内の頭部５０を回転不能としている。
【００７０】
以上のように、雄螺子部材５１の頭部５０の上面部５３と溝部３０の開口縁部分３０Ａの内側面との接触面積を大きく形成することで、頭部５０を溝部３０の開口縁部分３０Ａに対して引っかかりの良い形状とし、頭部５０と溝部３０の開口縁部分３０Ａとの係合状態が安定する。
【００７１】
また、頭部５０を溝部３０内で回転不能な形状とすることで、雄螺子部材５１へのナット３６の装着作業が容易となる。
【実施例１０】
【００７２】
続いて図２５〜図２７は、本発明の第１０実施例を示すものである。同図において、図１〜図２４と同一部分には同一符号を付し、その共通する部分の詳細な説明は省略する。本実施例では、通常のボルト４０に代えて、溝部３０の両側の開口縁部分３０Ａの内側面に係止可能な溝部用金具６０を溝部３０内に設置して、全螺子部材６１を野縁２側或いは金具３９側から挿入して溝部用金具６０に螺着して、全螺子部材６１に野縁２側或いは金具３９側からナット３６を装着するものである。
【００７３】
溝部用金具６０は、雄螺子部材５１の頭部５０と同様、左右一対の側面部５２と、側面部５２の上部を連結して形成された上面部５３とを備えた断面コ型の形鋼からなる。溝部用金具６０の上面部５３の中央部分には、全螺子部材６１が螺着可能な螺子孔６２を有している。溝部用金具６０の上面部５３の幅寸法Ｍ１は、雄螺子部材５１の頭部５０と同様、溝部３０の開口幅Ｍ２より大きく（Ｍ１＞Ｍ２）、かつ溝部３０内部の幅Ｍ３より僅かに小さく形成されているため（Ｍ１≦Ｍ３）、上面部５３と溝部３０の開口縁部分３０Ａの内側面との接触面積が大きくなるように形成されている。
【００７４】
また、溝部用金具６０の開口縁部分３０Ａと平行する方向の寸法Ｍ４を、溝部３０の幅Ｍ３より大きく形成されているため（Ｍ４＞Ｍ３）、溝部３０内の溝部用金具６０を回転不能としている。
【００７５】
以上のように、溝部用金具６０の上面部５３と溝部３０の開口縁部分３０Ａの内側面との接触面積を大きく形成することで、溝部用金具６０を溝部３０の開口縁部分３０Ａに対して引っかかりの良い形状とし、溝部用金具６０と溝部３０の開口縁部分３０Ａとの係合状態が安定する。
【００７６】
また、溝部用金具６０を溝部３０内で回転不能な形状とすることで、溝部用金具６０への全螺子部材６１の螺着や、全螺子部材６１へのナット３６の装着作業が容易となる。
【実施例１１】
【００７７】
続いて図２８は、本発明の第１１実施例を示すものである。同図において、図１〜図２７と同一部分には同一符号を付し、その共通する部分の詳細な説明は省略する。本実施例の天井構造では、天井ボード９Ｂと、設備機器１３との間に隙間Ｓを形成し、設備機器１３のフランジ状の周縁部１３Ａの下面に目隠し板３を取り付けている。尚、ここでの目隠し板３は実施例８記載のものでもよい。
【００７８】
図２８に示すように、周縁部１３Ａに目隠し板３をビス８で固定し、天井ボード９Ｂの下面Ｂと目隠し板３の下面Ｃとの間に間隔７を設けることにより、天井ボード９Ｂの下面Ｂの目隠し板３との干渉を抑え、不燃な防火区画を構成するとともに、設備機器１３との地震時の揺れによる落下を防ぐことができる。
【００７９】
以上のように本実施例は、天井面９Ａと照明や空調機などの設備機器１３との間に設けた隙間Ｓを覆う目隠し板３であって、目隠し板３は、天井面９Ｂと設備機器１３のいずれか一方に固定される取付部４と、天井面９Ａと設備機器１３のいずれか他方と所定間隔７を有して配置される被覆部２０を備えている。
【００８０】
この場合、隙間Ｓを隠すとともに、地震による天井の脱落や破損を防ぎ、特に、天井面９Ｂと照明や空調機などの設備機器１３の揺れ方の違いによる天井の脱落や破損を防ぐことができる。
【００８１】
目隠し板３はＶ溝又はレール状の溝１０及びボルト取付用の溝部３０を備えたことで、温度変化による目隠し板３の変形に対しても、溝１０及び溝部３０のそれぞれの開口縁部分３０Ａの長手方向に伸縮して変形することで対応することができる。
【実施例１２】
【００８２】
続いて図２９〜図３１は、本発明の第１２実施例を示すものである。同図において、図１〜図２８と同一部分には同一符号を付し、その共通する部分の詳細な説明は省略する。本実施例では、連結部分Ｊ３,Ｊ４の実施形態を示しており、一方の目隠し板３の取付部４と他方の目隠し板３の取付部４とを連結する連結金具７０と、一方の目隠し板３の被覆部２０の上面と他方の目隠し板３の被覆部２０を連結する連結板７１とを備えている。
【００８３】
連結金具７０は、下方を開放した断面コ型に形成され、取付部４を上方から被覆可能に形成された一方の押さえ部７２と、下方を開放した断面コ型に形成され取付部４を上方から被覆可能に形成され、前記一方の押さえ部７２と水平方向に直交して設けた他方の押さえ部７３とを有する平面視略Ｌ型の金具である。尚、一方の押さえ部７２と他方の押さえ部７３には、ボルト４０、雄螺子部材５１、又は全螺子部材６１が挿通可能な貫通部７４をそれぞれ備えている。
【００８４】
以上の構成では、連結部分J３,J４において、隣接する一方の目隠し板３の取付部４に一方の押さえ部７２を外嵌させて被覆して、他方の目隠し板３の取付部４に他方の押さえ部７３を外嵌させて被覆するとともに、溝部３０の両側の開口縁部分３０Ａの内側面に係止可能な頭部５０を備えた雄螺子部材５１を、溝部３０側から一方の押さえ部７２側又は他方の押さえ部７３側の貫通部７４に挿通して、雄螺子部材５１に一方の押さえ部７２側又は他方の押さえ部７３側からナット３６を装着するものである。
【００８５】
また、連結部分J３,J４において、隣接する一方の目隠し板３と他方の目隠し板３の各被覆部２０の上面に架設された連結板７１は、各種接着剤、ビス留め、溶接等によって各被覆部２０の上面に固定されている。
【００８６】
以上のように連結金具７０と連結板７１を用いて、コーナー側の連結部分Ｊ３,Ｊ４の目隠し板３,３を連結することで、目隠し板３,３同士の合わせ目が整えられるとともに、各目隠し板３,３同士は下面Ｄを面一に揃えた状態で水平に連結される。
【実施例１３】
【００８７】
続いて図３２〜図３４は、本発明の第１３実施例を示すものである。同図において、図１〜図３１と同一部分には同一符号を付し、その共通する部分の詳細な説明は省略する。
本実施例では、連結部分Ｊ３,Ｊ４の実施形態を示しており、一方の目隠し板３の取付部４と他方の目隠し板３の取付部４とを連結する連結金具８０と、一方の目隠し板３の被覆部２０の上面と他方の目隠し板３の被覆部２０を連結する連結板７１とを備えている。
【００８８】
連結金具８０は、溝部３０に挿入可能に形成された一方の挿入部８１と、溝部３０に挿入可能に形成され、前記一方の挿入部８１と水平方向に直交して設けた他方の挿入部８２とを有する平面視略Ｌ型の板状の金具である。尚、一方の挿入部８１と他方の挿入部８２には、全螺子部材６１が螺着可能な螺子孔８３をそれぞれ備えている。
【００８９】
以上の構成では、連結部分J３,J４において、隣接する一方の目隠し板３の取付部４の溝部３０に一方の挿入部７１を挿入して、他方の目隠し板３の取付部４の溝部３０に他方の挿入部７２を挿入するとともに、螺子孔８３に螺着した全螺子部材６１に開口縁部分３０Ａの上方からナット３６を装着するものである。
【００９０】
この場合、連結金具８０は取付部４の溝部３０内部に収容されているので、連結金具８０が取付部４の外部に露出しない構造となる。
【００９１】
以上のように連結金具８０と連結板７１を用いて、コーナー側の連結部分Ｊ３,Ｊ４の目隠し板３,３を連結することで、目隠し板３,３同士の合わせ目が整えられるとともに、各目隠し板３,３同士は下面Ｄを面一に揃えた状態で水平に連結される。
【実施例１４】
【００９２】
続いて図３５〜図３７は、本発明の第１４実施例を示すものである。同図において、図１〜図３４と同一部分には同一符号を付し、その共通する部分の詳細な説明は省略する。本実施例では、連結部分Ｊ２の実施形態を示しており、一方の目隠し板３の取付部４と他方の目隠し板３の取付部４とを連結する連結金具９０と、一方の目隠し板３の被覆部２０の上面と他方の目隠し板３の被覆部２０を連結する連結板７１とを備えている。
【００９３】
連結金具９０は、前述の雄螺子部材５１を複数連結して螺子軸９１,９２を複数備えた形状を有しており、雄螺子部５１の頭部５０と同様の断面形状を有する連結金具９０の頭部９３は、溝部３０の開口縁部分３０Ａと平行する方向の寸法Ｍ５を、頭部５０の寸法Ｍ４及び溝部３０の幅Ｍ３より大きく形成されているため（Ｍ５＞Ｍ４＞Ｍ３）、溝部３０内の頭部８３を回転不能としている。
【００９４】
以上の構成では、連結部分Ｊ２において、隣接する一方の目隠し板３の溝部３０内に連結金具９０の頭部９３の一方を設置するとともに、他方の目隠し板３の溝部３０内に連結金具９０の頭部９３の他方を設置する。さらに、一方の目隠し板３の溝部３０内に設置された螺子軸９１に野縁２側からナット３６を装着するとともに、他方の目隠し板３の溝部３０内に設置された螺子軸９２に野縁２側からナット３６を装着すると、連結部分Ｊ２における一方の目隠し板３と他方の目隠し板３との連結が完了する。
【００９５】
この場合、連結金具９０は取付部４の溝部３０内部に収容されているので、連結金具９０が取付部４の外部に露出しない構造となる。
【００９６】
以上のように連結金具９０と連結板７１を用いて、連結部分Ｊ２の目隠し板３,３を連結することで、目隠し板３,３同士の合わせ目が整えられるとともに、各目隠し板３,３同士は下面Ｄを面一に揃えた状態で水平に連結される。
【００９７】
本発明は上記各実施例に限定されるものではなく、本発明の要旨の範囲内において種々の変形実施が可能である。
【符号の説明】
【００９８】
２  野縁（天井下地材）
３  目隠し板
４  取付部
６  断熱部
７  間隔
８  ビス
９Ａ  天井ボード（天井面）
９Ｂ  天井ボード（天井面）
９Ｃ  天井ボード（天井面）
１３  設備機器
２０  被覆部
３０  溝部
３１、３２、３３、３４  連結部材取付用の溝部（連結部材取付用溝部）
３５  吊りボルト（雄螺子部材）
３６、３７  ナット（雌螺子部材）
３８  連結部材
４０  ボルト（雄螺子部材）
５０  頭部
６０  溝部用金具
７０、８０  連結金具
７１  連結板
７２  一方の押さえ部
７３  他方の押さえ部
７４  貫通部
８１  一方の挿入部
８２  他方の挿入部
８３  螺子孔
１０１  壁
Ｓ  隙間
【図１】
0006430582.tif 000002
【図２】
0006430582.tif 000003
【図３】
0006430582.tif 000004
【図４】
0006430582.tif 000005
【図５】
0006430582.tif 000006
【図６】
0006430582.tif 000007
【図７】
0006430582.tif 000008
【図８】
0006430582.tif 000009
【図９】
0006430582.tif 000010
【図１０】
0006430582.tif 000011
【図１１】
0006430582.tif 000012
【図１２】
0006430582.tif 000013
【図１３】
0006430582.tif 000014
【図１４】
0006430582.tif 000015
【図１５】
0006430582.tif 000016
【図１６】
0006430582.tif 000017
【図１７】
0006430582.tif 000018
【図１８】
0006430582.tif 000019
【図１９】
0006430582.tif 000020
【図２０】
0006430582.tif 000021
【図２１】
0006430582.tif 000022
【図２２】
0006430582.tif 000023
【図２３】
0006430582.tif 000024
【図２４】
0006430582.tif 000025
【図２５】
0006430582.tif 000026
【図２６】
0006430582.tif 000027
【図２７】
0006430582.tif 000028
【図２８】
0006430582.tif 000029
【図２９】
0006430582.tif 000030
【図３０】
0006430582.tif 000031
【図３１】
0006430582.tif 000032
【図３２】
0006430582.tif 000033
【図３３】
0006430582.tif 000034
【図３４】
0006430582.tif 000035
【図３５】
0006430582.tif 000036
【図３６】
0006430582.tif 000037
【図３７】
0006430582.tif 000038